(57)【要約】  前部壁１１４と、後部壁１１６と、底部壁１２２と、対向する側壁１１８、１１８’と、パッケージ内の紙巻たばこ１４６にアクセスするための開口部１２４を中に有する上部壁１２０と、を備えるボックス１１２を備える紙巻たばこのためのパッケージ１１０であって、その中で、開口部はその前部端から上部壁を横切って延び、アクセス開口部の周辺は上部壁の後部端１３２および側端から離間し、その結果上部壁は開口部の後方側１２６および側部１２８、１２８’の周りに延びる。フラップが開口部を覆っている閉位置と開口部が覆われていない開位置との間で移動可能な閉鎖フラップ１３０は、パッケージの後部壁から延びる。こうしたパックのためのブランクも開示される。【選択図】図１
2018502784.tif 000002
【特許請求の範囲】
【請求項１】
ボックスを備える消費財のためのパッケージであって、前記ボックスが、
前部壁と、
前記前部壁の反対側の後部壁と、
底部壁と、
対向する側壁と、
前記パッケージ内の前記消費財にアクセスするための開口部を中に有する上部壁であって、前記開口部がその前部端から前記上部壁を横切って延び、かつ前記アクセス開口部の周辺が前記上部壁の後部端および側端から離間し、その結果前記上部壁が前記開口部の後方および側部の周りに延びる、上部壁と、
前記後部壁の上端に沿って前記後部壁にヒンジ連結されたフラップであって、前記フラップが前記開口部を覆う閉位置と前記開口部が覆われない開位置との間で移動可能であるフラップと、を備える、パッケージ。
【請求項２】
前記開口部が前記上部壁の前記前部端から前記前部壁の下に途中まで延び、前記フラップが、前記フラップが前記閉位置にある時には前記上部壁の上にある上部フラップ部分と、前記フラップが前記閉位置にある時に少なくとも部分的に前記前部壁の上にある前部フラップ部分と、を備える、請求項１に記載のパッケージ。
【請求項３】
前記開口部が前記上部壁の前記前部端からその前記後部端に向かって前記上部壁の奥行きの８０パーセント未満にわたって延びる、請求項１または２に記載のパッケージ。
【請求項４】
前記ハウジングの前記上部壁内の前記開口部の表面積が前記パッケージの前記上部の７０パーセント未満である、請求項１、２または３に記載のパッケージ。
【請求項５】
前記開口部の前記表面積が、前記パッケージの前記上部の前記表面積の少なくとも５パーセントである、請求項１〜４のいずれか１項に記載のパッケージ。
【請求項６】
単一の層状ブランクで形成される、請求項１〜５のいずれか１項に記載のパッケージ。
【請求項７】
前記フラップを前記閉位置で前記ハウジングの前記前部壁の後ろに受けることができる、請求項１〜６のいずれか１項に記載のパッケージ。
【請求項８】
前記フラップがその内部表面の少なくとも一部分の上に再び封じることができる接着剤を含み、その結果、前記閉位置で前記閉鎖フラップを前記パッケージの前記前部壁へと再び封じることができるように貼り付けることができる、または前記閉位置で前記フラップを前記パッケージの前記前部壁の中のスリットもしくは切り抜きの中に受けることができる、請求項１〜６のいずれか１項に記載のパッケージ。
【請求項９】
前記上部壁が、前記ハウジングの前記前部壁から延び、かつ一体型の後方部分および側部部分を含む上方上部壁パネルと、前記ハウジングの前記側壁の上端から延び、かつ前記上方上部壁パネルの前記側部部分の下にある一対の下方上部壁パネルとを備える、請求項１〜８のいずれか一項に記載のパッケージ。
【請求項１０】
前記ボックスの中に喫煙物品の束を収容する、請求項１〜９のいずれか一項に記載のパッケージ。
【請求項１１】
請求項１〜１０のいずれか１項に記載のパッケージを外側ハウジング内に備える、請求項１〜１０のいずれか一項に記載の容器。
【請求項１２】
請求項１〜１１のいずれか１項に記載のパッケージのための層状ブランクであって、前記ブランクが、
前部壁パネル、後部壁パネル、第一の側壁パネル、第二の側壁パネル、および開口部を含む上部壁パネルを含むボックス画定部分であって、かつその中で前記上部壁パネルの前記前部端から前記開口部が延び、かつその中で前記開口部の前記後方および前記側部の周りに前記上部壁パネルが延びる、ボックス画定部分と、
前記後部壁パネルの前記上端に沿って前記ボックス画定部分の前記後部壁パネルへとヒンジ連結されたフラップと、を備える、ブランク。
【請求項１３】
請求項１２に記載のブランクであって、
前部壁パネルと、
前記前部壁パネルの２つの対向する端の各々から延びる外側壁パネルと、
前記前部壁パネルの端から延びる上部壁パネルであって、前記前部壁パネルの前記端から延びる開口部を中に有する、上部壁パネルと、
前記上部壁パネルと反対側の前記前部壁パネルの端から延びる底部壁パネルと、
前記底部壁パネルの２つの対向する端の各々から延びる側壁タブと、
前記前部壁パネルと反対側の前記底部壁パネルの端から延びる後部壁パネルと、
前記後部壁パネルの２つの対向する端の各々から延びる内側壁パネルと、
前記底部壁パネルと反対側の前記後部壁パネルの前記端から延びる閉鎖フラップパネルと、を備え、
前記パネルおよびタブが折り目によって相互に画定される、ブランク。
【請求項１４】
前記閉鎖フラップパネルが、
前記底部壁パネルと反対側の前記後部壁パネルの前記パネル端から延びる上部壁閉鎖パネルと、
前記後部壁パネルと反対側の前記上部壁閉鎖パネルの前記端から延びる前部壁閉鎖パネルと、を備える、請求項１３に記載のブランク。
【請求項１５】
前記前部壁パネルが前記上部壁パネル内の前記開口部と連続する開口部を有する、請求項１３または１４に記載のブランク。
【発明の詳細な説明】
【技術分野】
【０００１】
本発明は、パックの内容物へのアクセスのための開口部および開口部を閉鎖するためのフラップを含む、消費財のための新規なパッケージに関する。本発明は、こうしたパッケージを外側ハウジングの内側に含む容器も包含する。本発明のパッケージおよび容器は、紙巻たばこおよび他の喫煙物品などの細長い物品のパッケージングに有用である。
【背景技術】
【０００２】
紙巻たばこは、多くの場合、側壁および底部壁によって接続された前部壁および後部壁を有する下方の長方形のボックス部分と、側壁および上部壁によって接続された前部壁および後部壁を備えるリッドとを備えるヒンジリッドパック内に存在し、これを閉じるためにリッドはボックスにヒンジ連結される。
【発明の概要】
【発明が解決しようとする課題】
【０００３】
側壁によって結合された前部壁および後部壁、底部壁と上部壁とを備えるパックを提供することが提案されてきた。パックの後部端から上部壁を横切って上部壁の前部端へ、そして部分的に前部壁へと延びる上部壁からの切り抜きによって、パックの内部へのアクセスが提供され、上部壁の両側部にへりを残し、また前部壁のほとんどは変化がないままになる。フラップはパックの後部壁から上向きに延び、これは開口部を閉じ、また前部壁へと固定するために、上部壁および前部壁の上に曲げることができる。このタイプのパックは、特に比較的薄い厚紙または紙でできている時、剛直性がないことに悩まされる可能性がある。
【０００４】
使用時のパッケージのゆがみを最小化し、これによってパッケージ内の消費財により大きい保護を提供するために、より大きい剛直性を有する前述のタイプのパッケージを提供することが有用である。従来のパッケージング機械および技法に対する最小限の修正によって製造および組立ができるパッケージを提供することも有用である。
【課題を解決するための手段】
【０００５】
本発明の第一の態様によると、ボックスを備える消費財のためのパッケージが提供され、このボックスは、前部壁と、前部壁と対向する後部壁と、底部壁と、対向する側壁と、パッケージ内の消費財にアクセスするために開口部を中に有し、開口部がその中でその前部端から上部壁を横切って延びる上部壁と、を備え、またアクセス開口部の周辺は上部壁の後部端および側端から離間し、その結果上部壁は開口部の後方側および側部の周りに延びる。
【０００６】
一部の実施形態では、パッケージは、フラップが開口部を覆う閉位置と、開口部が覆われていない開位置との間で移動可能なフラップをさらに備える。一部の実施形態では、フラップは後部壁の上端に沿って後部壁にヒンジ連結される。
【０００７】
一部の実施形態では、開口部は、上部壁の前部端から前部壁の途中まで下へも延び、またフラップは、フラップが閉位置である時に上部壁の上にある上部フラップ部分、およびフラップが閉位置である時に少なくとも部分的に前部壁の上にある前部フラップ部分を備える。
【０００８】
一部の実施形態では、開口部は上部壁の前部端からその後部端に向かって、上部壁の奥行きの８０パーセント未満にわたって延び、７０パーセント未満にわたって延びることが好ましく、６０パーセント未満にわたって延びることがより好ましい。一部の実施形態では、ハウジングの上部壁内の開口部の表面積は、パッケージの上部の表面積の７０パーセント未満であり、６０パーセント未満であることが好ましく、５０パーセント未満であることがより好ましい。一部の実施形態では、開口部の表面積は、パッケージ上部の表面積の少なくとも５パーセントであり、少なくとも２０パーセントであることが好ましい。
【０００９】
一部の実施形態では、閉位置で、フラップをハウジングの前部壁の後ろ、またはパッケージの前部壁内のスリットまたは切り抜きの中に受けることができる。
【００１０】
一部の実施形態では、フラップは、その内部表面の少なくとも一部分の上に再び封じることができる接着剤を含み、その結果、閉鎖フラップをパッケージの前部壁へと閉位置で再び封じることができるように貼り付けることができる。
【００１１】
一部の実施形態では、上部壁は、ハウジングの前部壁から延び、かつ一体型の後方部分および側部部分を含む上方上部壁パネルと、ハウジングの側壁の上端から延び、かつ上方上部壁パネルの側部部分の下にある一対の下方上部壁パネルとを備える。
【００１２】
本発明の第二の態様によると、外側ハウジング内に収容される本発明の第一の態様によるパッケージが提供される。
【００１３】
本発明によるパッケージは、紙巻たばこなどの喫煙物品の束をボックスの中に収容するために有用である。第三の態様では、本発明は、喫煙物品の１つ以上の束を内側に有する本発明によるパックを包含する。パッケージは、例えば、紙巻たばこ、葉巻たばこ、またはシガリロを収容してもよい。当然のことながら、パッケージの寸法の適切な選択により、本発明によるパッケージは、異なる数の従来サイズ、キングサイズ、スーパーキングサイズ、スリム、またはスーパースリムの紙巻たばこ用に作製されてもよい。本発明によるパッケージは、喫煙物品以外の消費財にも使用することができる。
【００１４】
本発明によるパッケージでは、開口部の周辺はパッケージの上部壁の後部端および側端から離れて設定される。それゆえ上部壁は、開口部の３つの側部（後方および両側部）の周りに延び、その結果上部壁の側部部分は後方部分によって橋渡しされる。これは、剛直性の改善、そして特に剪断力に対する抵抗の改善を提供する。その結果、これは、例えば、ユーザーがパッケージを保持する時に、パッケージのゆがみの可能性を減少させ、これがパッケージ内の消費財に対する保護の改善を提供する。
【００１５】
後方の橋渡し部分を含むという理由で、先行技術のように２つの分離した側部パネルではなく単一のパネルとして上部壁を形成することができる。これは組立プロセスの間に必要とされる折り曲げの数を減少させ、製造を単純化する。
【００１６】
閉鎖フラップは、先行技術のパックと類似の方法で機能し、上部壁の橋渡し部分の存在は、パッケージの構築または閉鎖に著しく影響しない。本発明によると、請求項１〜１１のいずれか一項に記載のパッケージのための層状ブランクも提供され、ブランクは、前部壁パネルと、後部壁パネルと、第一の側壁パネルと、第二の側壁パネルと、開口部を含む上部壁パネルとを含むボックス画定部分を備え、開口部はその中で上部壁パネルの前部端から延び、また上部壁パネルはその中で開口部の後方および側部の周りに延び、フラップはボックス画定部分の後部壁パネルに後部壁パネルの上端に沿ってヒンジ連結される。前部壁パネルは、上部壁パネル内の開口部と連続する開口部を有することが好ましい。
【００１７】
好ましい実施形態では、ブランクは、前部壁パネルと、前部壁パネルの２つの対向する端各々から延びる外側壁パネルと、前部壁パネルの端から延びる上部壁パネルと、上部壁パネルと反対側の前部壁パネルの端から延びる底部壁パネルと、底部壁パネルの２つの対向する端の各々から延びる側壁タブと、底部壁パネルと反対側の前部壁のパネル端から延びる後部壁パネルと、後部壁パネルの２つの対向する端の各々から延びる内側壁パネルと、底部壁パネルと反対側の後部壁パネル端から延びる閉鎖フラップパネルと、を備え、パネルおよびタブは折り目によって相互に画定される。閉鎖フラップパネルは、底部壁パネルの反対側の後部壁パネルのパネル端から延びる上部壁閉鎖パネルと、後部壁パネルと反対側の上部壁閉鎖パネルの端から延びる前部壁閉鎖パネルと、を備えることが好ましい。
【００１８】
当然のことながら、本発明の一態様を参照して記述した特徴は、本発明の任意の他の態様にも適用可能である。本発明の一態様に関連して記述した利点は、本発明の別の態様にも適用されうる。
【００１９】
本発明による容器の構成要素の相対的位置を記述するために使用される「前部」、「後方」、「上部」、「底部」、「上方」、「下方」、「側面」、「左方」、「右方」、「側方」、「頂部」、「底部」という用語およびその他の用語は、ボックス部分の開放端が上部にあり、消費財が上端部からアクセス可能な、直立位置にある容器について言及するものである。「側面」および「側方」という用語は、容器をその直立位置で前部から見たときの容器の側壁に言及して使用される。
【００２０】
本発明のパッケージが紙巻たばこまたは他の喫煙物品のためのパックとして使用される時、異なる数の喫煙物品、または異なる配列の喫煙物品を保持するようにこれらを作製することができる。例えば、本発明によるパックは、合計１０〜２０個の喫煙物品を保持するよう設計されてもよい。
【００２１】
パック内の喫煙物品は、喫煙物品の合計数に応じて、異なる並べ方で配列されてもよい。喫煙物品は２列以上の列で配列されることが好ましい。２列以上の列は、同一の数の喫煙物品を含みうる。別の方法として、２列以上の列は、互いに異なる数の喫煙物品を含む少なくとも２列を含みうる。容器の高さ対容器の奥行きの比は、約０．３対１〜約１０対１であることが好ましく、約２対１〜約８対１であることがさらに好ましく、約３対１〜５対１であることが最も好ましい。
【００２２】
容器の幅対容器の奥行きの比は、約０．３対１〜約１０対１であることが好ましく、約２対１〜約８対１であることがさらに好ましく、約２対１〜３対１であることが最も好ましい。
【００２３】
本発明による容器の外部表面は、製造元またはブランドのロゴ、商標、スローガンおよびその他の消費者情報およびしるしを用いた、印刷、エンボス加工、デボス加工またはその他の方法で装飾されうる。
【００２４】
「ヒンジ」という用語は、パッケージのフラップおよびボックスに対して一般的な線に言及するために本明細書を通して使用され、フラップはヒンジ線を中心として閉位置と開位置との間で回転する。ヒンジは、ボックス上部壁の後方のへり上の任意の場所、すなわちボックス上部壁の後部端と開口部の後部端との間において、容器の上部壁の幅のすべてまたは一部を横切って延びてもよい。一部の実施形態では、ヒンジ線は実質的にボックス上部壁の後部端と一致してもよい。その他の実施形態では、ヒンジは、ボックス上部壁の後部端とボックス上部壁の前部端との間の中間の位置において容器のボックス上部壁の幅のすべてまたは一部にわたって延びてもよい。
【００２５】
本発明によるパッケージの使用時、ユーザーは開口部が覆われなくなるように、ヒンジ線を中心としてフラップを回転し、ボックスの中に保持された物品へのアクセスが得られる。ユーザーは、開口部を覆うためにフラップを回転して戻す。フラップが閉位置である時、開口部はリッドによって少なくとも部分的に妨害され、その結果、パッケージの内部にはアクセスできないようになり、パッケージから消費財を取り出すことはできない。
【００２６】
本発明によるパッケージは、単一の層状ブランクで形成されてもよい。第四の態様では、本発明は本発明によるパッケージのための層状ブランクを提供する。一部の実施形態では、ブランクは、前部壁パネル、後部壁パネル、第一の側壁パネル、第二の側壁パネル、および開口部を含む上部壁パネルを含むボックス画定部分であって、その中で上部壁パネルの前部端から開口部が延び、かつその中で開口部の後方および側部の周りに上部壁パネルが延びる、ボックス画定部分と、ボックスにヒンジ連結されたフラップと、を備える。一部の実施形態では、フラップは、後部壁パネルの上端に沿って、ボックス画定部分の後部壁パネルにヒンジ連結される。
【００２７】
「パネル」という用語は、組み立てられた容器の壁の一部またはすべてを形成するパッケージブランクの一部分に言及するために本明細書では使用される。パネルは、１つ以上の折り目に沿って１つ以上の他のパネルに従属してもよい。「折り目」という用語は、２つの隣接するパネルの間の折り曲げに言及する。容器を形成する時、容器の端部またはその部分を画定しうる隣接するパネルは、その共通の折り目に沿って折り曲げられる。組み立てられた容器では、「壁」は１つのパネルまたは相互に付着した（例えば、接着剤によって）いくつかの重なったパネルで形成されてもよい。さらに、壁は２つ以上の隣接しているまたは重なっているパネルで形成されてもよい。
【００２８】
本発明によるパッケージを、厚紙、板紙、プラスチック、金属、またはこれらの組み合わせが挙げられるがこれに限定されない任意の適切な材料でできている層状ブランクを折り曲げることによって、便利に製造することができる。パッケージを折り曲げられた層状の厚紙ブランクから形成することが好ましい。厚紙は重量が約１００グラム／平方メートルと約２５０グラム／平方メートルとの間であることが好ましく、約１２０グラム／平方メートルと約１８０グラム／平方メートルとの間であることがより好ましい。本発明によるパッケージは、一般に標準的な製造設備を使用して従来の方法で、１つ以上の層状ブランクを消費者物品の周りで折り曲げ、容器を組み立てられた形状に保持するために層状ブランクの上にあるパネルを一緒にシールすることによって組み立てられる。これは、従来的な接着剤または粘着剤を使用して達成されうる。
【００２９】
層状ブランクは、ブランクの１つのパネルを別のパネルから線引きするスコアラインまたは折り目を含み、ブランクがパッケージを形成することができるようにし、また一部のパネルについては、他のパネルとヒンジ連結できるようにする。完成したパッケージでは、スコアラインまたは折り目は、パッケージの内側にあってもよく、またはパッケージの外側にあってもよい。
【００３０】
本発明は、例として図面を参照しながらさらに記述される。
【図面の簡単な説明】
【００３１】
【図１】図１は、本発明の１つの実施形態によるパッケージの等角図である。
【図２】図２は、図１のパッケージのためのブランクを示す。
【図３】図３は、本発明の別の実施形態によるパッケージの等角図である。
【図４】図４は、図３のパッケージのためのブランクを示す。
【発明を実施するための形態】
【００３２】
図１の実施形態のパッケージ１１０は、紙巻たばこのためのパックである。これは、前部壁１１４と、前部壁と対向する後部壁１１６（図１では見えない）と、前部壁を後部壁と接続する側壁１１８、１１８’（図１ではその一方のみが見える）と、上部壁１２０と、底部壁１２２（図１では見えない）と、を有するボックス１１２を備える。開口部１２４は上部壁１２０の前面部分を横切って途中まで延び、また前部壁１１４を途中まで下へ延びる。上部壁の後方のへり１２６および側部のへり１２８、１２８’が残され、開口部１２４のこの部分を上部壁内に画定する。開口部は、前部壁１１４の高さの２５％下へ延びる。この比率は、パッケージ内で搬送される物品に関するパッケージのサイズに応じて変えることができる。図１の実施形態では、開口部はパッケージの幅の約２／３を横切って延びる。この場合もやはり、この比率は、パッケージ内で搬送される物品に関するパッケージのサイズに応じて変えることができる。
【００３３】
閉鎖フラップ１３０は、パッケージの後部壁１６から延び、上部壁１２０の後部端１３２にヒンジ連結される。閉鎖フラップは、パックの後部壁１１６から延びる上部壁閉鎖パネル１３４から成り、ここから前部壁閉鎖パネル１３６が折り曲げ１３８に沿って延びる。タブ１４０は、前部壁閉鎖パネル１３６から折り曲げ１４２に沿って延びる。再密封可能な接着剤の線１４４は、前部壁閉鎖パネル１３６の下方部分を横切って延びる。
【００３４】
パッケージ１１０の使用時、ユーザーは閉じたパッケージのフラップ１３０のタブ１３８を保持し、これを上向きにヒンジ回転し、パッケージから紙巻たばこ１４６を取り出すことができるように開口部１２４が覆われないように、再び封じることができる接着剤の線１４４を密封解除する。フラップの上部壁閉鎖パネル１３４を上部壁１２０の上へとヒンジ回転し、次に開口部１２４を閉じるためフラップの前部壁閉鎖パネル１３６をパッケージの前部壁１１４の上へとヒンジ回転することによってパックを閉じる。前部壁パネルに圧力がかかると、フラップ１３０を閉位置に保持するために再び封じることができる接着剤の線１４４を再密封することになる。
【００３５】
図２は、図１に示すタイプのパックを作製するためのブランク２００を示す。図２では、ブランク内の実線は切断を示し、破線は折り曲げ線を示す。ブランクは、以下のとおり、パックの構築用のパックの各パネルおよび追加的なパネルに対応する長方形のパネルを備える一片の紙または厚紙である。前部壁パネル２１４の各長い端から外側壁パネル２１８が延び、スコアライン２５０によって前部壁パネルから画定される。前部壁パネル２１４の１つの短い端から上部壁パネル２２０が延び、スコアライン２５２によって前部壁パネルから画定される。前部壁パネルおよび上部壁パネルからの概して長方形の切り抜き２２４は、完成したパックの上部壁および前部壁に開口部１２４を提供する。前部壁パネル２１４の他の短い端から底部壁パネル２２２が延び、スコアライン２５４によって前部壁パネルから画定される。底部壁パネル２２２の反対側の端から後部壁パネル２１６が延び、スコアライン２５６によって底部壁パネルから画定される。後部壁パネル２１６の各長い端から内側壁パネル２１８’が延び、スコアライン２５０’によって後部壁パネルから画定される。外側壁パネル２１８に隣接した内側壁パネル２１８’の短い端から側壁タブ２５８が延び、スコアライン２６０によってボックス内側壁パネルから画定される。内側壁パネル２１８’のもう一方の短い端から上部壁タブ２６２が延び、スコアライン２６４によって内側壁パネルから画定される。底部パネル２２２が延びる端とは反対側の後部壁パネル２１６の短い端から、上部壁閉鎖パネル２３４が延び、スコアライン２６６によって後部壁パネルから画定され、このパネルの反対側の端から前部壁閉鎖パネル２３６が延び、スコアライン２６８によって画定される。前部壁閉鎖パネル２３６の反対側の端からタブパネル２４０が延び、スコアライン２７０によって画定される。
【００３６】
ブランクからパックを形成するために、パックは紙巻たばこの束の周りに折り曲げられ、その結果、一緒に接着される内側壁２１８’および外側壁２１８によって接続される前部壁パネル２１４および後部壁パネル２１６が相互に対向する。側壁タブ２５８は、底部壁パネル２２２の内側の上に折り曲げられ、接着される。上部壁タブ２６２は、束の上部の上に折り曲げられ、上部壁パネル２２０は、上部壁タブの上に折り曲げられ、接着される。一筋の再び封じることができる接着剤が、前部壁閉鎖パネル２３６の内面に塗布される。後部壁パネル２１４、上部壁閉鎖パネル２３４、前部壁閉鎖パネル２３６、およびタブパネル２４０の間のスコアラインは折り曲げられ、その結果前部壁閉鎖パネル上の接着剤ストリップ１４４（図１）の前部壁パネル２１４への接着によってパックを閉じることができる。次に、パックは、二軸延伸ポリプロピレン（ＢＯＰＰ）フィルムなどの透明なプラスチックフィルムで上包されてもよい。
【００３７】
図３に示す実施形態のパック３１０は、閉鎖フラップ３３０を閉位置に保持する方法を除いて、図１に示すものと類似している（そして同様の要素を示すために同様の参照符号が使用される）。
【００３８】
パッケージ３１０は、前部壁１１４と、前部壁と対向する後部壁１１６（図３では見えない）と、前部壁を後部壁に接続する側壁１１８、１１８’（図３ではその一方のみが見える）と、上部壁１２０と、底部壁１２２（図３では見えない）と、を有するボックス１１２を備える。開口部１２４は上部壁１２０の前面部分を横切って途中まで延び、また前部壁１１４を途中まで下へ延びる。上部壁の後方のへり１２６および側部のへり１２８、１２８’が残され、開口部１２４のこの部分を上部壁内に画定する。開口部は、前部壁１１４の高さの２５％下へ延びる。この比率は、パッケージ内で搬送される物品に関するパッケージのサイズに応じて変えることができる。図３の実施形態では、開口部はパッケージの幅の約２／３を横切って延びる。開口部の幅。この場合もやはり、この比率は、パッケージ内で搬送される物品に関するパッケージのサイズに応じて変えることができる。
閉鎖フラップ３３０は、パッケージの後部壁１１６から延び、上部壁の後部端１３２にヒンジ連結される。フラップは、パックの後部壁１１６から延びる上部壁閉鎖パネル３３４から成り、ここから前部壁閉鎖パネル３３６が折り曲げ３３８に沿って延びる。前部壁閉鎖パネルは、実質的に前部壁１１４と同一幅の上方部分３４０を備え、ここから先細りパネル３４４が折り曲げ３４２に沿って延びる。先細りパネル３４４は、パックの前部壁内の開口部１２４を閉じるために十分な幅である。先細りパネル３４０の幅は、前部壁閉鎖パネル３３６の上方部分３４０から遠ざかる方向で減少する。タブ３４６は、先細りパネル３４４から、上方部分３４４と反対側の先細りパネルの端に沿った折り曲げ３４８から延びる。スロット３５０は、開口部１２４の下縁端の下方で、パックの前部壁１１４の幅の中間部を横切って延びる。フラップが、その位置にフラップを保持する閉位置である時、スロット３５０は、先細りパネル３４４のタブ３４６の自由端部分および先細りパネル自体の下方部を受けることができる。
【００３９】
パックを開けるために、ユーザーは、先細りタブ３４０を引いてスロット３４８から外し、開口部１２４が覆われなくなるようにフラップ３３０を上向きにヒンジ回転する。パックを閉じるために、ユーザーは、フラップの上部壁パネル３３４を上部壁２０の上へとヒンジ回転し、次に開口部２４を閉じるようにフラップの前部壁パネル３３６をパッケージの前部壁１１４の上へとヒンジ回転する。フラップを閉位置に保持するために、先細りパネル３４０の自由端部分をスロット３４８の中へと挿入する。前部壁閉鎖パネル３３６の上方部分３４０、先細りパネル３４４、およびタブ３４６の間の折り目３４２、２４８は、パネルのスロット３５０の中への挿入と取り出しを容易にする。
【００４０】
図４は、図３に示すタイプのパックを作製するためのブランク４００を示す。図４では、ブランク内の実線は切断を示し、破線はスコアラインを示す。ブランクは、以下のとおり、パックの構築用のパックの各壁および追加的なパネルに対応する長方形のパネルを備える一片の紙または厚紙である。ブランク４００は、図２のブランク２００と類似している（同様の要素を示すために同様の参照符号が使用される）。ブランクは、以下のとおり、パックの構築用のパックの各壁および追加的なパネルに対応する長方形のパネルを備える一片の紙または厚紙である。前部壁パネル２１４の各長い端から外側壁パネルが延び、スコアライン２５０によって前部壁パネルから画定される。前部壁パネル２１４の１つの短い端から上部壁パネル２２０が延び、スコアライン２５２によって前部壁パネルから画定される。前部壁パネルおよび上部壁パネルからの概して長方形の切り抜き２２４は、完成したパックの上部壁および前部壁に開口部１２４を提供する。スロット３５０は、前部壁パネル２１４の中央部を部分的に横切って延びる。前部壁パネル２１４の他の短い端から底部壁パネル２２２が延び、スコアライン２５４によって前部壁パネルから画定される。底部壁パネル２２２の反対側の端から後部壁パネル２１６が延び、スコアライン２５６によって底部壁パネルから画定される。後部壁パネル２１６の各長い端から内側壁パネル２１８’が延び、スコアライン２５０’によって後部壁パネルから画定される。外側壁パネル２１８に隣接した内側壁パネル２１８’の短い端から側壁タブ２５８が延び、スコアライン２６０によってボックス内側壁パネルから画定される。内側壁パネル２１８’のもう一方の短い端から上部壁タブ２６２が延び、スコアライン２６４によって内側壁パネルから画定される。底部パネル２２２が延びる端と反対側の後部壁パネル２１６の短い端から、上部壁閉鎖パネル４３４が延び、スコアライン４６６によって後部壁パネルから画定され、このパネルの反対側の端から前部壁閉鎖パネル４３６の上方部分４４０が延び、スコアライン４６８によって上部壁閉鎖パネル４３４から画定される。上方部分４４０の反対側の端から先細りパネル４４４が延び、スコアライン４７０によって上方部分４４０から画定される。先細りパネル４４４の反対側の端からタブパネル４４６が延び、スコアライン４４８によって先細りパネルから画定される。
【００４１】
ブランクからパックを形成するために、パックは紙巻たばこの束の周りに折り曲げられ、その結果、一緒に接着される内側壁２１８’および外側壁２１８によって接続される前部壁パネル２１４および後部壁パネル２１６が相互に対向する。側壁タブ２５８は、底部壁パネル２２２の内側の上に折り曲げられ、接着される。上部壁タブ２６２は、束の上部の上に折り曲げられ、上部壁パネル２２０は、上部壁タブの上に折り曲げられ、接着される。後部壁パネル２１４、上部壁閉鎖パネル４３４、前部壁閉鎖パネル４３６の上方部分４４０、前部壁閉鎖パネルの先細り部分４４４、およびタブパネル４４６の間のスコアラインは折り曲げられ、その結果、タブパネルおよび先細りパネルの一部の前部壁パネル２１４内のスロット３５０内への挿入によってパックを閉じることができる。次に、パックは、二軸延伸ポリプロピレン（ＢＯＰＰ）フィルムなどの透明なプラスチックフィルムで上包されてもよい。
【図１】
2018502784.tif 000003
【図２】
2018502784.tif 000004
【図３】
2018502784.tif 000005
【図４】
2018502784.tif 000006
【国際調査報告】
2018502784.tif 000007
2018502784.tif 000008
2018502784.tif 000009